(57)【要約】      （修正有）【課題】汚泥をごみ受入ホッパに直接供給させるようにしたもので、一定量の汚泥を分散供給することにより汚泥を一般ごみに設定した割合で混合させることができて混焼状態を安定させ、かつ臭気が外気に漏れ出るのを防止することができる汚泥混焼用ごみ焼却装置の提供。【解決手段】ごみピット１２からの一般ごみを受け入れてごみ焼却炉に供給するためのごみ受入ホッパ１３が設けられているごみ供給室１と、汚泥ピット２２からの汚泥を受け入れる汚泥受入ホッパ２３が設けられている汚泥供給室２とを備え、前記汚泥供給室がごみ供給室とは区画されて密閉状に形成されると共にごみ供給室に隣接して設けられ、前記汚泥受入ホッパの底部に定量切出し装置３が設置され、前記定量切出し装置と前記ごみ受入ホッパとの間に汚泥搬送ベルトコンベヤ４が設けられている。【選択図】図１
0003136980.tif 000002
【実用新案登録請求の範囲】
【請求項１】
ごみピット（１２）からの一般ごみを受け入れてごみ焼却炉（９）に供給するためのごみ受入ホッパ（１３）が設けられているごみ供給室（１）と、
汚泥ピット（２２）からの汚泥を受け入れる汚泥受入ホッパ（２３）が設けられている汚泥供給室（２）とを備え、
前記汚泥供給室（２）がごみ供給室（１）とは区画されて密閉状に形成されると共にごみ供給室（１）に隣接して設けられ、
前記汚泥受入ホッパ（２３）の底部に定量切出し装置（３）が設置され、
前記定量切出し装置（３）と前記ごみ受入ホッパ（１３）との間に汚泥搬送ベルトコンベヤ（４）が設けられていることを特徴とする汚泥混焼用ごみ焼却装置。
【考案の詳細な説明】
【技術分野】
【０００１】
本考案は、一般ごみ（主に燃えるごみ）に汚泥を混合させて焼却（混焼）するための汚泥混焼用ごみ焼却装置に関し、特に、汚泥を一般ごみに混合させるための技術に関する。
【背景技術】
【０００２】
従来、下水処理汚泥や屎尿処理汚泥等の汚泥を一般ごみに混ぜてごみ焼却炉により混焼する場合、一般ごみを貯留するためのごみピットに汚泥を投入し、ここで汚泥と一般ごみと混合させたのちごみ受入ホッパに投入させてごみ焼却炉に供給させるようにしていた。
上記のようなごみ焼却装置においては、ごみピット内に常に汚泥が存在しているため、悪臭等でピット内の雰囲気を悪化させ、汚泥供給室の周辺の環境も悪化させてしまう原因となっていた。
また、汚泥がごみピットに局部的に投棄されるため、汚泥が投棄された場所では局部的に水分が多くなり、ごみ焼却炉による混焼状態を不安定にする要因となっていた。
【０００３】
このような問題を解消するための技術として、汚泥をごみ受入ホッパに直接供給させるようにした汚泥混焼用ごみ焼却炉が提案されている（特許文献１参照）。
【０００４】
特許文献１に記載された汚泥混焼用ごみ焼却炉は、汚泥受入ホッパと、汚泥受入ホッパの下部に設けた汚泥ホッパコンベヤと、汚泥ホッパコンベヤから搬出される汚泥を搬送する汚泥供給ポンプと、汚泥供給ポンプで供給される汚泥をごみ焼却炉のごみ投入ホッパ（本考案の「ごみ受入ホッパ」に相当する）に移送する汚泥移送配管と、汚泥の乾燥固化防止水供給手段とを備えたものであった。
【特許文献１】特開平１１−２５７６３９号公報
【考案の開示】
【考案が解決しようとする課題】
【０００５】
上記のように、汚泥受入ホッパで受け入れた汚泥を汚泥供給ポンプにより汚泥移送配管を通してごみ投入ホッパに供給する汚泥混焼用ごみ焼却装置では、汚泥移送配管内で汚泥が圧縮されるため水分が絞り出され、この結果、汚泥が汚泥移送配管内で乾燥して固化閉塞することがある。このため、汚泥の乾燥固化を防止するために水を供給するなどの特別の装置を設ける必要がある。
又、汚泥受入ホッパが密閉状の場所に設置されていないため、そこから臭気が外気に放出されてしまうという汚泥供給室の周辺の環境悪化の問題があった。
【０００６】
本考案は、汚泥をごみ受入ホッパに直接供給させるようにしたもので、一定量の汚泥を分散供給することにより汚泥を一般ごみに設定した割合で混合させることができて混焼状態を安定させ、かつ臭気が外気に漏れ出るのを防止することができるようにすることを課題としている。
【課題を解決するための手段】
【０００７】
上記の課題を解決するために、本考案の汚泥混焼用ごみ焼却装置は、
ごみピット（１２）からの一般ごみを受け入れてごみ焼却炉（９）に供給するためのごみ受入ホッパ（１３）が設けられているごみ供給室（１）と、
汚泥ピット（２２）からの汚泥を受け入れる汚泥受入ホッパ（２３）が設けられている汚泥供給室（２）とを備え、
前記汚泥供給室（２）がごみ供給室（１）とは区画されて密閉状に形成されると共にごみ供給室（１）に隣接して設けられ、
前記汚泥受入ホッパ（２３）の底部に定量切出し装置（３）が設置され、
前記定量切出し装置（３）と前記ごみ受入ホッパ（１３）との間に汚泥搬送ベルトコンベヤ（４）が設けられている構成とした。
【０００８】
なお、上記カッコ内の符号は、後述する実施例に記載した具体的手段との対応関係を示すものである。
【考案の効果】
【０００９】
本考案の汚泥混焼用ごみ焼却炉は、汚泥をごみ受入ホッパに直接投入する構成としたので、汚泥でごみピット内が汚染されることがない。
【００１０】
又、汚泥受入ホッパに受け入れた汚泥を定量切出し装置で切り出して汚泥搬送ベルトコンベヤによりごみ受入ホッパに供給するため、汚泥を設定した割合で一般ごみの上からバラ撒く状態で分散供給することができる。これにより、汚泥を一般ごみに均一に混合させることができ、混焼状態を安定させることができ、汚泥の混合割合を向上させることができる。
【００１１】
又、汚泥供給室をごみ供給室とは区画させて密閉状に形成させたので、臭気は汚泥供給室内に充満するだけで、外気に漏れ出すことがなく、臭気による周辺環境の悪化を防止できる。
【００１２】
又、汚泥の搬送手段として汚泥搬送ベルトコンベヤを用いたので、汚泥を強制的に圧縮することがないし、しかも汚泥供給室をごみ供給室に隣接させたことにより汚泥搬送ベルトコンベヤによる搬送距離を短縮することができる。
【考案を実施するための最良の形態】
【００１３】
図１は本考案の実施例である汚泥混焼用ごみ焼却装置の要部を示す概略側断面図、図２はその汚泥混焼用ごみ焼却装置の全体を示す概略説明図である。
【００１４】
図２において、１はごみ供給室で、プラットホーム１０に乗り入れたごみ運搬車１１から落下させた一般ごみを一時的に貯留するごみピット１２と、このごみピット１２からの一般ごみを受け入れてごみ焼却炉９に供給するためのごみ受入ホッパ１３と、前記ごみピット１２から一般ごみをバケット１４により掴み上げて前記ごみ受入ホッパ１３に投入させるためのごみクレーン１５が設けられている。
【００１５】
図１において、２は汚泥供給室で、プラットホーム（図示省略）に乗り入れた汚泥運搬車（図示省略）から落下させた汚泥を一時的に貯留する汚泥ピット２２と、この汚泥ピット２２からの汚泥を受け入れる汚泥受入ホッパ２３と、前記汚泥ピット２２から汚泥をバケット２４により掬い上げて前記汚泥受入ホッパ２３に投入させるための汚泥クレーン２５が設けられている。
又、この汚泥供給室２は、前記ごみ供給室１とは仕切壁２６により区画されて密閉状に形成されると共にごみ供給室１に隣接して設けられている。
【００１６】
３は定量切出し装置で、前記汚泥受入ホッパ２３の底部に設置され、この汚泥受入ホッパ２３に受け入れた汚泥を設定した割合で送り出すものである。実施例では２軸スクリューコンベヤ（１軸スクリューコンベヤを用いてもよいし、３軸以上のスクリューコンベヤを用いてもよい）を用いている。
【００１７】
４は汚泥搬送ベルトコンベヤで、一般ごみのごみ受入ホッパ１３への供給と連動して汚泥を搬送するもので、前記定量切出し装置３から切り出した汚泥を被搬送物とし、この汚泥をごみ受入ホッパ１３まで搬送するための汚泥搬送手段となる。
この汚泥搬送ベルトコンベヤは、前記定量切出し装置３と前記ごみ受入ホッパ１３との間に設けられるもので、前記仕切壁２６を貫通して定量切出し装置３の下方から前記ごみ受入ホッパ１３の上方に延長して設けられている。
この汚泥搬送ベルトコンベヤ４は、従来の汚泥搬送手段として用いた汚泥供給ポンプとは異なり、汚泥を強制的に圧縮することなくベルト上に載置して搬送させるため、汚泥が配管内で乾燥して固化閉塞することがない。
【００１８】
ごみ焼却炉９として実施例ではストーカ式焼却炉を用いているが、これに限定されることはなく、本考案の汚泥混焼用ごみ焼却装置をガス化溶融炉に適用できるのは勿論である。
なお、ごみ焼却炉９は単体でもよいが、通常は複数体で設けられるものであり、これに対応して各ごみ焼却炉９にそれぞれごみ受入ホッパ１３が設けられている。
【００１９】
従って、ごみ供給室１ではごみピット１２内の一般ごみがごみクレーン１５によってごみ受入ホッパ１３に投入される。
一方、汚泥供給室２では、汚泥ピット２２内の汚泥が汚泥クレーン２５によって汚泥受入ホッパ２３に投入され、定量切出し装置３によって汚泥が設定した割合で切り出され、引き続き汚泥搬送ベルトコンベヤ４により前記ごみ受入ホッパ１３に搬送され、ここで一般ごみの上からバラ撒く状態で分散供給される。これにより汚泥を一般ごみに均一に混合させることができる。
【００２０】
以上のように本考案は汚泥をごみピット１２に投入させるのではなく、ごみ受入ホッパ１３に直接供給させるようにしたものであり、そして汚泥を設定した割合で分散供給することにより汚泥を一般ごみに均一に混合させることができ、混焼状態を安定させることができる。
又、汚泥搬送手段として汚泥搬送ベルトコンベヤ４を用いたので、汚泥の水分を変化させることなく搬送できるし、汚泥供給室２をごみ供給室１とは区画させて密閉状に形成させたので、臭気が外気に漏れ出るのを防止することができる。
【図面の簡単な説明】
【００２１】
【図１】本考案の実施例である汚泥混焼用ごみ焼却装置の要部を示す概略側断面図である。
【図２】その汚泥混焼用ごみ焼却装置の全体を示す概略説明図である。
【符号の説明】
【００２２】
１  ごみ供給室
１０  プラットホーム
１１  ごみ運搬車
１２  ごみピット
１３  ごみ受入ホッパ
１４  バケット
１５  ごみクレーン
２  汚泥供給室
２０  プラットホーム
２２  汚泥ピット
２３  汚泥受入ホッパ
２４  バケット
２５  汚泥クレーン
２６  仕切壁
３  定量切出し装置
４  汚泥搬送ベルトコンベヤ
９  ごみ焼却炉
【図１】
0003136980.tif 000003
【図２】
0003136980.tif 000004